(57)【特許請求の範囲】
【請求項１】
対向する２つの面間にテンションを維持した状態で取り付けられる突っ張り構造体であって、
筒状であって、第１端部および前記第１端部に対して長手方向である第１の方向の反対側に位置する第２端部を有する第１の筒状部と、
筒状であって、第３端部および前記第３端部に対して前記第１の方向の反対側に位置する第４端部を有し、少なくとも前記第３端部を含む領域を前記第１の筒状部の内周側に収容可能な第２の筒状部と、
前記第１の筒状部に取り付けられ、前記第１の筒状部に対する前記第２の筒状部の前記第１の方向における移動を規制するジョイント部と、を備え、
前記ジョイント部は、
ねじ溝が形成され、前記第１の方向に垂直な第２の方向に貫通するねじ孔を有し、前記第１の筒状部の外周面に取り付けられるスリーブ部と、
前記第２の方向に移動可能であり、前記スリーブ部に取り付けられるねじと、を含み、
前記ねじは、
前記第２の方向に沿って延びる軸部と、
前記軸部の外周側の端部に取り付けられる頭部と、を含み、
前記軸部は、
前記軸部の内周側の先端部を含み、前記先端部に向かうにしたがい前記第２の方向に垂直な断面の断面積が小さくなる第１領域と、
前記第１領域と連なって配置され、前記第２の方向に沿い、ねじ溝およびねじ山が形成されていない外周面を有する第２領域と、
前記第２領域と連なって前記第２領域と前記頭部との間に配置され、外周面に前記ねじ溝と係合するねじ山が形成された第３領域と、を含み、
前記第１領域の外周面は、円錐面から構成されている、突っ張り構造体。
【請求項２】
前記ジョイント部は、棒状部をさらに含み、
前記棒状部の一方側の端部は、前記頭部に固定されている、請求項１に記載の突っ張り構造体。
【請求項３】
前記棒状部は、前記第１の筒状部に対する前記第２の筒状部の移動が規制された状態において、前記第１の方向に沿って配置される、請求項２に記載の突っ張り構造体。
【請求項４】
前記突っ張り構造体の前記第１の方向における圧力を可変とするよう配置される弾性部材をさらに備える、請求項１から請求項３のいずれか１項に記載の突っ張り構造体。
【請求項５】
前記第２の方向における前記第２領域の長さは、前記第１の筒状部の肉厚よりも大きい、請求項１から請求項４のいずれか１項に記載の突っ張り構造体。
【請求項６】
前記第２の方向における前記第２領域の長さは、２．０ｍｍ以上８．０ｍｍ以下である、請求項１から請求項５のいずれか１項に記載の突っ張り構造体。
【請求項７】
前記スリーブ部は、円筒状である、請求項１から請求項６のいずれか１項に記載の突っ張り構造体。
【請求項８】
前記第２の筒状部の材質は、鉄である、請求項１から請求項７のいずれか１項に記載の突っ張り構造体。
【発明の詳細な説明】
【技術分野】
【０００１】
本開示は、突っ張り構造体に関するものである。
【背景技術】
【０００２】
対向する２つの壁面間に取り付けられる突っ張り棒が、開示されている（例えば特許文献１参照）。
【先行技術文献】
【特許文献】
【０００３】
【特許文献１】実全昭６１−１６６２０８号公報
【発明の概要】
【発明が解決しようとする課題】
【０００４】
突っ張り棒は、第１の筒状部と第１の筒状部の内周側にその一部が収容される第２の筒状部と、を含む。第１の筒状部の内周側から引き出される第２の筒状部の長さを調整し、全体の長手方向の長さを決定した後、第１の筒状部に対して第２の筒状部の長手方向における移動を規制する。特許文献１によると、ねじを回転させて外周側から内周側へ向かう方向に押し進め、第２の筒状部にねじの軸部を貫通させる。このようにして、第１の筒状部に対して第２の筒状部を固定する。突っ張り棒の長手方向の長さの容易な調整が求められる。【０００５】
そこで、長手方向の長さの調整を容易に行うことができる突っ張り構造体を提供することを目的の１つとする。
【課題を解決するための手段】
【０００６】
本開示に従った突っ張り構造体は、対向する２つの面間にテンションを維持した状態で取り付けられる。突っ張り構造体は、筒状であって、第１端部および第１端部に対して長手方向である第１の方向の反対側に位置する第２端部を有する第１の筒状部と、筒状であって、第３端部および第３端部に対して第１の方向の反対側に位置する第４端部を有し、少なくとも第３端部を含む領域を第１の筒状部の内周側に収容可能な第２の筒状部と、第１の筒状部に取り付けられ、第１の筒状部に対する第２の筒状部の第１の方向における移動を規制するジョイント部と、を備える。ジョイント部は、ねじ溝が形成され、第１の方向に垂直な第２の方向に貫通するねじ孔を有し、第１の筒状部の外周面に取り付けられるスリーブ部と、第１の方向に垂直な第２の方向に移動可能であり、スリーブ部に取り付けられるねじと、を含む。ねじは、第２の方向に沿って延びる軸部と、軸部の外周側の端部に取り付けられる頭部と、を含む。軸部は、軸部の内周側の先端部を含み、先端部に向かうにしたがい第２の方向に垂直な断面の断面積が小さくなる第１領域と、第１領域と連なって配置され、第２の方向に沿う外周面を有する第２領域と、第２領域と連なって第２領域と頭部との間に配置され、外周面にねじ溝と係合するねじ山が形成された第３領域と、を含む。
【発明の効果】
【０００７】
上記突っ張り構造体によれば、長手方向の長さの調整を容易に行うことができる。
【図面の簡単な説明】
【０００８】
【図１】図１は、実施の形態１における突っ張り棒の構成を示す外観図である。
【図２】図２は、図１に示す突っ張り棒の断面図である。
【図３】図３は、図１に示す突っ張り棒の分解断面図である。
【図４】図４は、図１に示す突っ張り棒の外観の斜視図である。
【図５】図５は、図１に示す突っ張り棒の外観の斜視図である。
【図６】図６は、スリーブ部の概略斜視図である。
【図７】図７は、図６に示すスリーブ部を第１の方向に見た外観図である。
【図８】図８は、図７中の線分ＶＩＩＩ−ＶＩＩＩで切断した場合のスリーブ部の概略断面図である。
【図９】ジョイント部に含まれるねじおよび棒状部の概略斜視図である。
【図１０】図１０は、図９に示すねじおよび棒状部を第２の方向に見た外観図である。
【図１１】図１１は、図１０中の線分ＸＩ−ＸＩで切断した場合のねじおよび棒状部の概略断面図である。
【図１２】図１２は、ねじを押し進める前の状態の突っ張り棒の一部を拡大して示す概略断面図である。
【図１３】図１３は、ねじを押し進めた後の状態の突っ張り棒の一部を拡大して示す概略断面図である。
【図１４】図１４は、実施の形態２における突っ張り構造体としての突っ張り棒を示す正面図である。
【図１５】図１５は、図１４に示す突っ張り棒の外観の斜視図である。
【図１６】図１６は、図１４に示す突っ張り棒の外観の斜視図である。
【図１７】図１７は、実施の形態３における突っ張り構造体としての突っ張り棚を示す概略斜視図である。
【発明を実施するための形態】
【０００９】
［本開示の実施形態の説明］
最初に本開示の実施態様を列記して説明する。本開示に係る突っ張り構造体は、対向する２つの面間にテンションを維持した状態で取り付けられる。突っ張り構造体は、筒状であって、第１端部および第１端部に対して長手方向である第１の方向の反対側に位置する第２端部を有する第１の筒状部と、筒状であって、第３端部および第３端部に対して第１の方向の反対側に位置する第４端部を有し、少なくとも第３端部を含む領域を第１の筒状部の内周側に収容可能な第２の筒状部と、第１の筒状部に取り付けられ、第１の筒状部に対する第２の筒状部の第１の方向における移動を規制するジョイント部と、を備える。ジョイント部は、ねじ溝が形成され、第１の方向に垂直な第２の方向に貫通するねじ孔を有し、第１の筒状部の外周面に取り付けられるスリーブ部と、第１の方向に垂直な第２の方向に移動可能であり、スリーブ部に取り付けられるねじと、を含む。ねじは、第２の方向に沿って延びる軸部と、軸部の外周側の端部に取り付けられる頭部と、を含む。軸部は、軸部の内周側の先端部を含み、先端部に向かうにしたがい第２の方向に垂直な断面の断面積が小さくなる第１領域と、第１領域と連なって配置され、第２の方向に沿う外周面を有する第２領域と、第２領域と連なって第２領域と頭部との間に配置され、外周面にねじ溝と係合するねじ山が形成された第３領域と、を含む。
【００１０】
突っ張り構造体は、第１の筒状部の内周側から第２の筒状部を所定の長さだけ引き出し、対向する２つの面間の距離に応じた所望の長さとする。そして、ジョイント部に含まれるねじを回転させて軸部を第１の方向に垂直な第２の方向に押し進め、ねじの軸部を第２の筒状部に貫通させることにより、第１の筒状部に対して第２の筒状部を固定する。このようにして、第１の方向における第１の筒状部に対する第２の筒状部の移動を規制する。第１の方向の長さが決められた突っ張り構造体は、対向する２つの面間にテンションを維持した状態で取り付けられる。
【００１１】
本開示の突っ張り構造体によると、軸部は、軸部の内周側の先端部を含む第１領域と、第１領域と連なって配置される第２領域と、第２領域と連なって第２領域と頭部との間に配置される第３領域と、を含む。第１領域は、先端部に向かうにしたがい第２の方向に垂直な断面の断面積が小さくなっている。よって、ねじを回転させて軸部を内周側に押し進め、第１領域を第２の筒状部に突き刺す際に、第２の筒状部の外周面に先端部を突き刺しやすくすることができる。第２領域は、第２の方向に沿う外周面を有する。よって、軸部の先端部により第２の筒状部の外周面に穴をあけて軸部を内周側に押し進めていく際に、第２領域が配置された位置における抵抗を小さくすることができる。したがって、軸部を内周側に推し進める際の力を小さくすることができる。第３領域は、外周面にねじ溝に係合するねじ山を有する。よって、ねじの回転時において第３領域のねじ山とスリーブ部に含まれるねじ孔のねじ溝とを係合させて、軸部の第２の方向における進行および後退を円滑に行うことができる。また、ねじ山とねじ溝の係合によりスリーブ部からのねじの脱落等を抑制することができる。したがって、このような突っ張り構造体は、長手方向の長さの調整を容易に行うことができる。
【００１２】
上記突っ張り構造体において、ジョイント部は、棒状部をさらに含んでもよい。棒状部の一方側の端部は、頭部に固定されていてもよい。このようにすることにより、フリーな状態である棒状部の他方側の端部を持ってねじを回転させることができる。よって、ねじを容易に回転させることができ、長さを調整する際のねじの押し進めやねじの退行をより容易に行うことができる。
【００１３】
上記突っ張り構造体において、棒状部は、第１の筒状部に対する第２の筒状部の移動が規制された状態において、第１の方向に沿って配置されてもよい。このようにすることにより、第２の筒状部の移動が規制された状態において、棒状部を第１の筒状部の外周面に沿った状態とすることができる。よって、棒状部の他方側の端部が第１の方向に交差して第１の筒状部の外周面から突出した状態となることを避けることができる。また、第１の筒状部に対する第２の筒状部の移動が規制された状態であることを、容易に視覚的に認識することができる。
【００１４】
上記突っ張り構造体において、突っ張り構造体の第１の方向における圧力を可変とするよう配置される弾性部材をさらに備えてもよい。このようにすることにより、弾性部材による弾性変形を利用して、突っ張り構造体の第１の方向におけるテンションを維持した状態として対向する２つの面間に取り付けることが容易となる。よって、より容易に２つの面間に突っ張り構造体を取り付けることができる。
【００１５】
上記突っ張り構造体において、第２の方向における第２領域の長さは、第１の筒状部の肉厚よりも大きくてもよい。このようにすることにより、より確実にねじ山が設けられていない第２領域において円滑にねじを推し進めることができる。よって、より確実に長手方向の長さの調整を容易に行うことができる。
【００１６】
上記突っ張り構造体において、第２の方向における第２領域の長さは、２．０ｍｍ以上８．０ｍｍ以下であってもよい。このような突っ張り構造体は、より確実にねじを円滑に推し進めることができる。より確実に長手方向の長さの調整を容易に行うことができる。
【００１７】
上記突っ張り構造体において、スリーブ部は、円筒状であってもよい。このようにすることにより、スリーブ部の第１の筒状部からの脱落のおそれを低減することができる。よって、より確実に長手方向の長さの調整を容易に行うことができる。
【００１８】
上記突っ張り構造体において、第２の筒状部の材質は、鉄であってもよい。このようにすることにより、剛性の高い突っ張り構造体において、長手方向の長さの調整を容易に行うことができる。
【００１９】
［本願発明の実施形態の詳細］
次に、本開示の突っ張り構造体の一実施形態を、図面を参照しつつ説明する。以下の図面において同一または相当する部分には同一の参照符号を付しその説明は繰り返さない。
【００２０】
（実施の形態１）
本開示の実施の形態１における突っ張り構造体の一種である突っ張り棒の構成について説明する。図１は、実施の形態１における突っ張り棒の構成を示す外観図である。図１は、実施の形態１における突っ張り棒の外観の側面図である。図２は、図１に示す突っ張り棒の断面図である。図２中において、突っ張り棒が取り付けられる２つの対向する壁面も図示している。図２は、後述する円筒状の第１の筒状部１４ａの中心軸を通り、第１の筒状部１４ａの長手方向に沿う平面で切断した場合の断面図である。図３は、図１に示す突っ張り棒の分解断面図である。図４および図５はそれぞれ、図１に示す突っ張り棒の外観の斜視図である。図４および図５は、互いに異なる角度から見た図である。
【００２１】
図１〜図５を参照して、実施の形態１における突っ張り棒１１ａの長手方向である第１の方向は、矢印Ｄ１で示す向きまたはその逆の向きで示される。突っ張り棒１１ａは、対向する２つの面、具体的には、第１の壁面１２および第１の壁面１２と対向する第２の壁面１３間にテンションを維持した状態で取り付けられる（特に図２参照）。この場合、２つの壁面１２，１３は、矢印Ｄ１で示す方向において対向している。なお、図２において、第１の方向に垂直な方向は、矢印Ｄ２で示す向きまたはその逆の向きで示される。図２において、矢印Ｄ２で示す向きは、天から地へ向かう向きを示している。壁面１２，１３間に取り付けられた突っ張り棒１１ａを利用して、例えばハンガーやフックが引っ掛けられる。また、突っ張り棒１１ａにカーテンレールを取り付けてカーテンの開閉に利用することもできる。また、第１の方向、すなわち長手方向を鉛直方向として天井の天壁面とタンス等の家具の天井側に位置する面との間にテンションを維持した状態で取り付け、家具を転倒から防止する転倒防止具としても利用することができる。また、天井の天壁面と床面との間にテンションを維持した状態で取り付け、支柱として利用することもできる。
【００２２】
突っ張り棒１１ａは、筒状である第１の筒状部１４ａと、取り付け時において第１の壁面１２と当接する第１の当接部１５ａと、筒状である第２の筒状部１６ａと、取り付け時において第２の壁面１３と当接する第２の当接部１７ａと、ジョイント部１８ａと、を備える。
【００２３】
第１の筒状部１４ａは、円筒状である。第１の筒状部１４ａの長手方向である第１の方向の長さとして、例えば３００ｍｍ以上１６００ｍｍ以下のものが用いられる。具体的には、３９０ｍｍ以上１５４０ｍｍ以下のものが用いられる。第１の筒状部１４ａの内径として、例えば２０．０ｍｍ以上３２．０ｍｍ以下のものが用いられる。具体的には、２１．０ｍｍ以上３１．８ｍｍ以下のものが用いられる。第１の筒状部１４ａの外径として、例えば２２．０ｍｍ以上３５．０ｍｍ以下のものが用いられる。具体的には、２２．２ｍｍ以上３３．５ｍｍ以下のものが用いられる。第１の筒状部１４ａの肉厚、すなわち、第１の筒状部１４ａの外周面２１ａから内周面２２ａに至る径方向の長さとして、例えば０．３ｍｍ以上２．０ｍｍ以下のものが用いられる。具体的には、０．４ｍｍ以上１．０ｍｍ以下のものが用いられる。第１の筒状部１４ａは、第１の方向の一方側に位置し、第１の筒状部１４ａの一方側の開口を含む第１端部２３ａと、第１端部２３ａと第１の方向の反対側に位置し、第１の筒状部１４ａの他方側の開口を含む第２端部２４ａと、を有する。第１の筒状部１４ａの材質としては、例えば鉄が用いられる。
【００２４】
第１の当接部１５ａは、ケース部３１ａと、第１の方向における圧力を可変とするよう配置される弾性部材としてのばね３２ａと、第１キャップ３３ａと、第１パッド３４ａと、を含む。ケース部３１ａは、円筒状であって、一方側の端部は閉塞しており、他方側の端部は開口している。ケース部３１ａには、一方側の端部における外周面３５ａと径方向に間隔をあけて形成される取り付け部３６ａが形成されている。ケース部３１ａは、一方側の端部が、第１の筒状部１４ａの第１端部２３ａ側から挿入される。この時、取り付け部３６ａと外周面３５ａとの間の径方向の隙間に第１端部２３ａが嵌め込まれる。このようにして、ケース部３１ａは、第１の筒状部１４ａに取り付けられる。
【００２５】
ばね３２ａは、いわゆるコイル状であって、長手方向に押し縮めることができる。ばね３２ａは、長手方向に押し縮められた際の力が解放されると、復元力により元の長さに戻る。すなわち、ばね３２ａには、長手方向に押し縮められると、ばね３２ａの復元力により元の長さに戻ろうとする付勢力が働く。
【００２６】
第１キャップ３３ａは、一方側の端部は開口しており、他方側の端部は閉塞している円筒状の部分を有する。開口された一方側の端部の内周側にケース部３１ａの他方側の端部が嵌め込まれる。このようにして、第１キャップ３３ａは、ケース部３１ａに取り付けられる。上記したばね３２ａは、ケース部３１ａの内周面によって囲まれた空間３７ａ内に配置される。この場合、ばね３２ａの長手方向が第１の方向に沿うように配置される。ばね３２ａは、長手方向において自然長の状態で、すなわち、長手方向に押し縮められていない状態で空間３７ａ内に配置される。すなわち、ばね３２ａは、弾性変形により突っ張り棒１１ａの第１の方向における圧力を可変とするよう配置される。
【００２７】
第１パッド３４ａは、ケース部３１ａが嵌め込まれた側と長手方向の反対側において、第１キャップ３３ａに取り付けられる。本実施形態においては、第１パッド３４ａは板状であり、厚み方向、すなわち、第１の方向に見た場合の外形形状は正方形である。本実施形態においては、第１の方向に見た場合に、第１パッド３４ａの４隅の角には面取りが施され、丸められている。第１パッド３４ａは、厚み方向の一方側の面３８ａが取り付け時において第１の壁面１２と対向する。すなわち、突っ張り棒１１ａの使用時において、第１の壁面１２と面３８ａとが当接する。
【００２８】
第２の筒状部１６ａは、円筒状である。第２の筒状部１６ａの長手方向である第１の方向の長さとして、例えば４００ｍｍ以上１７００ｍｍ以下のものが用いられる。具体的には、４４０ｍｍ以上１６００ｍｍ以下のものが用いられる。第２の筒状部１６ａの内径として、例えば１５．０ｍｍ以上３０．０ｍｍ以下のものが用いられる。具体的には、１７．８ｍｍ以上２７．８ｍｍ以下のものが用いられる。第２の筒状部１６ａの外径として、例えば１５．０ｍｍ以上３２．０ｍｍ以下のものが用いられる。具体的には、１９．０ｍｍ以上２９．５ｍｍ以下のものが用いられる。第２の筒状部１６ａの肉厚、すなわち、第２の筒状部１６ａの外周面２６ａから内周面２７ａに至る径方向の長さとして、例えば０．３ｍｍ以上２．０ｍｍ以下のものが用いられる。具体的には、０．４ｍｍ以上１．０ｍｍ以下のものが用いられる。第２の筒状部１６ａの肉厚は、図３中の長さＬ３で示される。第２の筒状部１６ａは、第１の方向の一方側に位置し、第２の筒状部１６ａの一方側の開口を含む第３端部２８ａと、第３端部２８ａに対して第１の方向の反対側に位置し、第２の筒状部１６ａの他方側の開口を含む第４端部２９ａと、を有する。第２の筒状部１６ａは、第３端部２８ａを含む領域を第１の筒状部１４ａの内周側に収容可能である。本実施形態においては、突っ張り棒１１ａは、第１の筒状部１４ａの内周側から第２の筒状部１６ａを所定の長さだけ引き出し、対向する２つの壁面１２，１３間の距離に応じた所望の長さとして使用される。第２の筒状部１６ａの材質としては、例えば第１の筒状部１４ａと同様に、鉄が用いられる。
【００２９】
第２の当接部１７ａは、第１ジャッキ部４１ａと、第２ジャッキ部４２ａと、第２キャップ４３ａと、第２パッド４４ａと、を含む。第１ジャッキ部４１ａは、円筒状であって、他方側の開口を含み、外周面におねじが形成されておらず、平滑な円筒面を有する第１嵌合部４５ａと、一方側の開口を含み、外周面にねじ山（おねじ）が形成されている第２嵌合部４６ａと、を含む。第１ジャッキ部４１ａは、第２の筒状部１６ａの第４端部２９ａ側から第２の筒状部１６ａ内に第１嵌合部４５ａを差し込み、第４端部２９ａをかしめることにより、第２の筒状部１６ａに取り付けられる。
【００３０】
第２ジャッキ部４２ａは、円筒状である。第２ジャッキ部４２ａの一方側の端部に近い領域には、内周面を接続するように棒状に延びるリブ４９ａが複数設けられている。本実施形態において、リブ４９ａは３本設けられており、周方向に６０度ずつ間隔をあけて放射状に形成されている。なお、図３は、リブ４９ａを含む断面で切断した場合の断面となっている。リブ４９ａが設けられた位置から第２ジャッキ部４２ａの長手方向の中央の領域に至る内周面には、ねじ溝（めねじ）が設けられた第３嵌合部４７ａが形成されている。第２ジャッキ部４２ａは、第２ジャッキ部４２ａを回転させながら第２嵌合部４６ａのおねじを第２ジャッキ部４２ａの第３嵌合部４７ａのめねじに係合させることにより、第１ジャッキ部４１ａに取り付けられる。
【００３１】
第２キャップ４３ａは、一方側の端部は閉塞しており、他方側の端部は開口している円筒状の部分を有する。開口された他方側の端部に第２ジャッキ部４２ａが嵌合される。具体的には、第２ジャッキ部４２ａの一方側の端部の外周面が第２キャップ４３ａの内周面に嵌め込まれる。なお、第１キャップ３３ａと第２キャップ４３ａとは、同じ形状の部材を用いることにしてもよい。
【００３２】
第２パッド４４ａは、第２ジャッキ部４２ａが嵌め込まれた側と長手方向の反対側において、第２キャップ４３ａに取り付けられる。本実施形態においては、第２パッド４４ａは板状であり、厚み方向、すなわち、第１の方向に見た場合の外形形状は正方形である。本実施形態においては、第１の方向に見た場合に、第２パッド４４ａの４隅の角には面取りが施され、丸められている。第２パッド４４ａは、厚み方向の一方側の面４８ａが取り付け時において第２の壁面１３と対向する。すなわち、突っ張り棒１１ａの使用時において、第２の壁面１３と面４８ａとが当接する。なお、第１パッド３４ａと第２パッド４４ａとは、同じ形状の部材を用いることにしてもよい。
【００３３】
ジョイント部１８ａは、スリーブ部５１ａと、ねじ５２ａと、を含む。本実施形態においては、ジョイント部１８ａは、棒状部６７ａを含む。次に、スリーブ部５１ａの構成について説明する。図６は、スリーブ部５１ａの概略斜視図である。図７は、図６に示すスリーブ部５１ａを第１の方向に見た外観図である。図７は、スリーブ部５１ａを、矢印Ｄ１で示す向きから見た図である。図８は、図７中の線分ＶＩＩＩ−ＶＩＩＩで切断した場合のスリーブ部５１ａの概略断面図である。図６〜図８は、ジョイント部１８ａに含まれるねじ５２ａの図示を省略した状態の図である。なお、図６において、後述するナット部６２ａの図示を省略している。
【００３４】
図６〜図９を併せて参照して、スリーブ部５１ａは、筒状である。具体的には、スリーブ部５１ａは、円筒状である。スリーブ部５１ａは、一方側の端部５３ａを含み、径方向の厚さが大きい第１部分５４ａと、第１部分５４ａと第１の方向において隣り合って配置され、他方側の端部５５ａを含み、第１部分５４ａよりも径方向の厚さが小さい第２部分５６ａと、を含む。また、スリーブ部５１ａは、第１部分５４ａの配置される領域において、外周面５７ａに形成され、外周側に突出する突出部５８ａを含む。スリーブ部５１ａは、第１の筒状部１４ａの第２端部２４ａが位置する領域において、第１の筒状部１４ａの外周面２１ａと第２部分５６ａの内周面６０ａとが当接するよう嵌め込まれて取り付けられる。第１部分５４ａの内周面５９ａと第２部分５６ａの内周面６０ａとの段差５０ａに第２端部２４ａが当接するように、スリーブ部５１ａは、第１の筒状部１４ａに取り付けられる。第１部分５４ａの内周面５９ａは、第２の筒状部１６ａの外周面２６ａに対向するように配置される。スリーブ部５１ａの第１の方向における長さは、端部５３ａから端部５５ａまでの長さＬ１によって示される。
【００３５】
突出部５８ａは、第１の方向に垂直な第２の方向に延びる形状である。突出部５８ａは、円柱状である。突出部５８ａには、第２の筒状部１６ａの径方向、すなわち、第２の方向に貫通する貫通孔６１ａが形成されている。スリーブ部５１ａは、ナット部６２ａを含む。ナット部６２ａは、ねじ溝（めねじ）６３ａが形成され、第２の方向に貫通するねじ孔６４ａを有する。ナット部６２ａを除くスリーブ部５１ａは、樹脂製である。ナット部６２ａは、金属製である。具体的には、ナット部６２ａは、真鍮製である。ナット部６２ａは、貫通孔６１ａ内に配置される。貫通孔６１ａ内に嵌め込まれたナット部６２ａのねじ孔６４ａは、第２の筒状部１６ａの径方向である第２の方向に貫通して配置されることになる。スリーブ部５１ａは、ねじ溝６３ａが形成され、第２の方向に貫通するねじ孔６４ａを有する。ねじ孔６４ａは、内周面５９ａに開口を有する。
【００３６】
次に、ねじ５２ａの構成について説明する。図９は、ジョイント部１８ａに含まれるねじ５２ａおよび棒状部６７ａの概略斜視図である。図１０は、図９に示すねじ５２ａおよび棒状部６７ａを第２の方向に見た外観図である。図１０は、ねじ５２ａおよび棒状部６７ａを矢印Ｄ２で示す向きと逆の向きから見た図である。図１１は、図１０中の線分ＸＩ−ＸＩで切断した場合のねじ５２ａおよび棒状部６７ａの概略断面図である。
【００３７】
図９〜図１１を併せて参照して、ねじ５２ａは、軸部６５ａと、頭部６６ａと、を含む。軸部６５ａは、第２の方向に沿って延びている。すなわち、ねじ５２ａは、軸部６５ａが第２の方向に沿って延びるようスリーブ部５１ａに取り付けられている。図１１中の一点鎖線で示すねじ５２ａの回転軸７０ａは、軸部６５ａの中心軸を通る。頭部６６ａは、軸部６５ａの一方側の端部である外周側の端部に取り付けられる。ねじ５２ａは、金属製である。
【００３８】
棒状部６７ａは、樹脂製である。棒状部６７ａの一方側の端部６８ａは、ねじ５２ａの頭部６６ａに取り付けられる。具体的には、樹脂製の棒状部６７ａの一方側の端部６８ａにねじ５２ａの頭部６６ａが埋め込まれるようにして固定されている。棒状部６７ａの他方側の端部６９ａはフリーな状態、すなわち、突っ張り棒１１ａを構成する部材に取り付けられていない状態である。突っ張り棒１１ａを利用するユーザーは、棒状部６７ａの他方側の端部６９ａを掴み、棒状部の一方側の端部６８ａ側を支点として回転させることにより、ねじ５２ａを回転させることができる。本実施形態においては、棒状部６７ａの長手方向の長さを長さＬ２とすると、スリーブ部５１ａの第１の方向における長さＬ１は、長さＬ２よりも大きい。このようにすることにより、棒状部６７ａの形状をよりコンパクトにすることができる。一方、長さＬ２を長さＬ１よりも大きくすることにより、ねじ５２ａを回転させる際の力の軽減を図ることが容易になる。棒状部６７ａは、第１の筒状部１４ａに対する第２の筒状部１６ａの移動が規制された状態において、第１の方向に沿って配置される。
【００３９】
ここで、軸部６５ａは、第１領域７１ａと、第２領域７２ａと、第３領域７３ａと、を含む。第１領域７１ａは、軸部６５ａの内周側の先端部７４ａを含む。第２領域７２ａは、第１領域７１ａと連なって配置される。第２領域７２ａは、第２の方向において、第１領域７１ａと第３領域７３ａとの間に配置される。第３領域７３ａは、第２領域７２ａと連なって配置される。第３領域７３ａは、第２の方向において、第２領域７２ａと頭部６６ａとの間に配置される。第２領域７２ａおよび第３領域７３ａは、第２の方向において、第１領域７１ａと頭部６６ａとの間に配置される。第２の方向における第１領域７１ａの長さ、第２領域７２ａの長さおよび第３領域７３ａの長さは、それぞれ長さＬ４，Ｌ５，Ｌ６で示される。
【００４０】
第１領域７１ａは、先端部７４ａに向かうにしたがい第２の方向に垂直な断面の断面積が小さくなる。第１領域７１ａは、先端部７４ａが鋭角で尖った形状である。図１１に示す断面において表れる外周面７５ａをなす線７６ａと線７７ａとのなす角度は、鋭角である。第１領域７１ａの外周面７５ａは、円錐面から構成されている。外周面７５ａには、ねじ山およびねじ溝は形成されていない。
【００４１】
第２領域７２ａは、第２の方向に沿う外周面７８ａを有する。第２領域７２ａの外周面７８ａは、円柱面から構成されている。外周面７８ａには、ねじ山およびねじ溝は形成されていない。図１１に示す断面において、外周面７８ａをなす線７９ａと線８１ａとは、平行である。なお、ここでいう平行とは、幾何学的に厳密に２本の線が平行関係を有している場合のみならず、例えば第２の方向において、第１領域７１ａに向かうにつれて、間隔がやや狭くなっている場合も含む。第２の方向における第２領域７２ａの長さＬ５は、第２の筒状部１６ａの肉厚よりも大きい。具体的には、長さＬ５は、２．０ｍｍ以上８．０ｍｍ以下である。
【００４２】
第３領域７３ａの外周面８２ａには、ねじ溝６３ａと係合するねじ山（おねじ）８３ａが形成されている。ねじ山８３ａは、第３領域７３ａの長手方向の全域にわたって形成されている。第２の方向における第２領域７２ａと第３領域７３ａとの境界は、ねじ山の有無によって定められる。
【００４３】
ここで、上記突っ張り棒１１ａの取り付け方法の一例について簡単に説明する。まず、ねじ５２ａを緩めた状態の図１等に示す突っ張り棒１１ａを準備する。ねじ５２ａを緩めた状態では、第１の筒状部１４ａの内周側にある第２の筒状部１６ａを出し入れすることができる。第１の筒状部１４ａの内周側から第２の筒状部１６ａを第１の方向に引き出して、突っ張り棒１１ａの長手方向の長さを変えることができる。
【００４４】
第１の筒状部１４ａの内周側から第２の筒状部１６ａを所定の長さだけ引き出し、対向する２つの壁面１２，１３間の距離に応じた所望の長さとする。本実施形態においては、２つの壁面１２，１３間と同じ長さか、または２つの壁面１２，１３間よりもやや短い長さとする。そして、ジョイント部１８ａに含まれるねじ５２ａを回転させて軸部６５ａを第１の方向に垂直な第２の方向に押し進める。ねじ５２ａの回転に際しては、棒状部６７ａの他方側の端部６９ａを持って力を加え、回転軸７０ａを回転の中心軸として回転させる。ここで、ねじ５２ａの第３領域７３ａは、外周面８２ａにねじ溝６３ａに係合するねじ山８３ａを有する。よって、第３領域７３ａのねじ山８３ａとスリーブ部５１ａに含まれるねじ孔６４ａのねじ溝６３ａとを係合させて、軸部６５ａの第２の方向における進行および後退を円滑に行うことができる。なお、ねじ山８３ａとねじ溝６３ａの係合によりスリーブ部５１ａからのねじ５２ａの脱落等を抑制することができる。
【００４５】
第３領域７３ａの外周面８２ａに設けられたねじ山８３ａと、ねじ孔６４ａのねじ溝６３ａとが係合しており、ねじ５２ａの回転により、軸部６５ａが矢印Ｄ２と逆の向きに進行していく。図１２は、ねじ５２ａを押し進める前の状態の突っ張り棒１１ａの一部を拡大して示す概略断面図である。図１２を参照して、ねじ５２ａを回転させて、ねじ５２ａの軸部６５ａを第２の方向、具体的には、矢印Ｄ２示す向きと逆の向きに押し進める。そうすると、軸部６５ａの第１領域７１ａに含まれる先端部７４ａが第２の筒状部１６ａの外周面２６ａに当接する。その後、ねじ５２ａの回転により先端部７４ａが第２の筒状部１６ａに食い込んでいく。
【００４６】
ここで、上記突っ張り棒１１ａによると、第１領域７１ａは、先端部７４ａに向かうにしたがい第２の方向に垂直な断面の断面積が小さくなっている。よって、ねじ５２ａを回転させて軸部６５ａを内周側に押し進め、第１領域７１ａを第２の筒状部１６ａに突き刺す際に、第２の筒状部１６ａの外周面２６ａに先端部７４ａを突き刺しやすくすることができる。本実施形態においては、第１領域７１ａの外周面７５ａは、円錐面から構成されており、外周面７５ａには、ねじ山およびねじ溝は形成されていない。よって、より先端部７４ａを突き刺しやすい。また、第２領域７２ａは、第２の方向に沿う外周面７８ａを有する。よって、軸部６５ａの先端部７４ａにより第２の筒状部１６ａの外周面２６ａに穴をあけて軸部６５ａを内周側に押し進めていく際に、第２領域７２ａが配置された位置における抵抗を小さくすることができる。したがって、軸部６５ａを内周側に推し進める際の力を小さくすることができる。
【００４７】
図１３は、ねじ５２ａを押し進めた後の状態の突っ張り棒１１ａの一部を拡大して示す概略断面図である。図１３は、図２におけるＸＩＩＩで示す部分の拡大図に相当する。図１３を併せて参照して、このようにねじ５２ａの軸部６５ａを第２の筒状部１６ａに貫通させることにより、第１の筒状部１４ａに対して第２の筒状部１６ａを固定する。このようにして、第１の方向における第１の筒状部１４ａに対する第２の筒状部１６ａの移動を規制する。この場合、第１の筒状部１４ａに対する第２の筒状部１６ａの周方向の移動も規制される。その後、第１の方向における長さが決められた突っ張り棒１１ａは、図２に示すように対向する２つの壁面１２，１３間に取り付けられる。
【００４８】
ここで、壁面１２，１３間に突っ張り棒１１ａを取り付ける際には、２つの壁面１２，１３間の長さに応じて長手方向の長さが調整された突っ張り棒１１ａが２つの壁面１２，１３間に配置される。突っ張り棒１１ａを壁面１２，１３間に配置後、第２ジャッキ部４２ａを回転させる。この場合、突っ張り棒１１ａが長手方向に長くなる方向に第２ジャッキ部４２ａを回転させる。そうすると、突っ張り棒１１ａは、長手方向に長くなろうとするが、壁面１２，１３間に配置されているため、空間３７ａ内に配置されたばね３２ａが長手方向に押し縮められる。その結果、ばね３２ａが自然長の長さに戻ろうとする付勢力によってテンションを維持した状態で、突っ張り棒１１ａは、壁面１２，１３間に取り付けられる。このようにして、突っ張り棒１１ａは、対向する２つの壁面１２，１３間に取り付けられる。
【００４９】
以上より、このような突っ張り棒１１ａは、長手方向の長さの調整を容易に行うことができる。
【００５０】
本実施形態において、ジョイント部１８ａは、棒状部６７ａを含む。棒状部６７ａの一方側の端部６８ａは、頭部６６ａに固定されている。したがって、フリーな状態である棒状部６７ａの他方側の端部６９ａを持ってねじ５２ａを回転させることができる。よって、上記突っ張り棒１１ａは、ねじ５２ａを容易に回転させることができ、長さを調整する際のねじ５２ａの押し進めやねじ５２ａの退行をより容易に行うことができる突っ張り棒となっている。
【００５１】
本実施形態において、棒状部６７ａは、第１の筒状部１４ａに対する第２の筒状部１６ａの移動が規制された状態において、第１の方向に沿って配置されている。したがって、第２の筒状部１６ａの移動が規制された状態において、棒状部６７ａを第１の筒状部１４ａの外周面２１ａに沿った状態とすることができる。よって、上記突っ張り棒１１ａは、棒状部６７ａの他方側の端部６９ａが第１の方向に交差して第１の筒状部１４ａの外周面２１ａから突出した状態となることを避けることができる突っ張り棒となっている。また、上記突っ張り棒１１ａは、第１の筒状部１４ａに対する第２の筒状部１６ａの移動が規制された状態であることを、容易に視覚的に認識することができる突っ張り棒となっている。
【００５２】
本実施形態において、第２の方向における第２領域７２ａの長さＬ５は、第１の筒状部１４ａの肉厚よりも大きい。したがって、より確実にねじ山８３ａが設けられていない第２領域７２ａにおいて円滑にねじ５２ａを推し進めることができる。よって、上記突っ張り棒１１ａは、より確実に長手方向の長さの調整を容易に行うことができる突っ張り棒となっている。
【００５３】
本実施形態において、第２の方向における第２領域７２ａの長さＬ５は、２．０ｍｍ以上８．０ｍｍ以下である。したがって、より確実にねじ５２ａを円滑に推し進めることができる。よって、上記突っ張り棒１１ａは、より確実に長手方向の長さの調整を容易に行うことができる突っ張り棒となっている。
【００５４】
本実施形態において、スリーブ部５１ａは、円筒状である。したがって、スリーブ部５１ａの第１の筒状部１４ａからの脱落のおそれを低減することができる。よって、上記突っ張り棒１１ａは、より確実に長手方向の長さの調整を容易に行うことができる突っ張り棒となっている。
【００５５】
本実施形態において、第２の筒状部１６ａの材質は、鉄である。よって、上記突っ張り棒１１ａは、剛性の高い突っ張り棒であって、長手方向の長さの調整を容易に行うことができる。
【００５６】
本実施形態において、突っ張り棒１１ａは、第１の方向における圧力を可変とするよう配置される弾性部材としてのばね３２ａを含む。したがって、ばね３２ａによる弾性変形を利用して、突っ張り棒１１ａの第１の方向におけるテンションを維持した状態として対向する２つの壁面１２，１３間に取り付けることができる。よって、このような突っ張り棒１１ａは、より確実に２つの壁面１２，１３間に取り付けることができる突っ張り棒となっている。
【００５７】
（実施の形態２）
次に、他の実施の形態である実施の形態２について説明する。図１４は、実施の形態２における突っ張り構造体としての突っ張り棒を示す正面図である。図１５および図１６はそれぞれ、図１４に示す突っ張り棒の外観の斜視図である。図１５および図１６は、互いに異なる角度から見た図である。実施の形態２の突っ張り棒は、実施の形態１の突っ張り棒に含まれる第１の当接部および第２の当接部の形状が異なる点において実施の形態１の場合とは異なっている。
【００５８】
図１４〜図１６を参照して、実施の形態２における突っ張り棒１１ｂは、第１の筒状部１４ｂと、第１の当接部１５ｂと、第２の筒状部１６ｂと、第２の当接部１７ｂと、ジョイント部１８ｂと、を含む。第１の筒状部１４ｂ、第２の筒状部１６ｂおよびジョイント部１８ｂの構成は、実施の形態１における第１の筒状部１４ａ、第２の筒状部１６ａおよびジョイント部１８ａの構成とそれぞれ同様である。よって、これらの説明を省略する。
【００５９】
第１の当接部１５ｂにおいて、第１パッド３４ｂは板状であり、厚み方向に見た場合の外形形状は長方形である。本実施形態においては、第１の方向に見た場合に、第１パッド３４ｂの４隅の角には面取りが施され、丸められている。また、第２の当接部１７ｂにおいて、第２パッド４４ｂは板状であり、厚み方向に見た場合の外形形状は長方形である。本実施形態においては、第１の方向に見た場合に、第２パッド４４ｂの４隅の角には面取りが施され、丸められている。
【００６０】
このような突っ張り棒１１ｂは、例えば家具の転倒を防止する家具転倒防止具として有効に利用される。具体的には、突っ張り棒１１ｂは、天地方向が長手方向になるように取り付けられる。例えば第１パッド３４ｂの面３８ｂが天井を構成する天壁面と当接し、第２パッド４４ｂの面４８ｂがタンス等の家具の天壁面と対向する面と当接するように、突っ張り棒１１ｂが取り付けられる。より具体的には、長方形の長手方向がタンスの引き出しを引き出す方向と同じ方向になるように取り付けられる。このように取り付けることにより、地震等が発生した際の家具の転倒を防止することができる。
【００６１】
（実施の形態３）
次に、さらに他の実施の形態である実施の形態３について説明する。図１７は、実施の形態３における突っ張り構造体としての突っ張り棚を示す概略斜視図である。実施の形態３の突っ張り棚は、実施の形態１の突っ張り棒と同様の構成の部分を２つ含み、棚として利用される点において、実施の形態１の場合とは異なっている。
【００６２】
図１７を参照して、実施の形態３における突っ張り棚８６は、２本の突っ張り棒１１ｃ，１１ｄと、突っ張り棒１１ａ，１１ｃ間に配置される網部８７と、を含む。突っ張り棒１１ｃは、第１の筒状部１４ｃと、第１の当接部１５ｃと、第２の筒状部１６ｃと、第２の当接部１７ｃと、ジョイント部１８ｃと、を含む。突っ張り棒１１ｄは、第１の筒状部１４ｄと、第１の当接部１５ｄと、第２の筒状部１６ｄと、第２の当接部１７ｄと、ジョイント部１８ｄと、を含む。突っ張り棒１１ｃ、１１ｄの構成はそれぞれ、実施の形態１における突っ張り棒１１ａの構成と基本的に同様である。よって、これらの説明を省略する。
【００６３】
突っ張り棚８６に含まれる網部８７は、複数の棒状部材を格子状に組み合わせて構成されている。本実施形態において、網部８７は、複数の棒状部材を第１の方向および第１の方向と直交する方向に配置して組み合わせることにより形成されている。突っ張り棒１１ｃ，１１ｄはそれぞれ平行となるように配置される。突っ張り棒１１ｃ，１１ｄ間に網部８７が配置される。具体的には、網部８７は、突っ張り棒１１ｃに含まれる第１の筒状部１４ｃの外周面２１ｃおよび突っ張り棒１１ｄに含まれる第１の筒状部１４ｄの外周面２１ｄのそれぞれと接続されている。
【００６４】
このような突っ張り棚８６は、２本の突っ張り棒１１ｃ，１１ｄを、テンションを維持した状態で対向する壁面間に取り付けられた際に、網部８７の上に物を載置することができる。また、網部８７にハンガー等を引っ掛けて使用することもできる。
【００６５】
このような突っ張り棚８６についても、長手方向の長さの調整を容易に行うことができる。
【００６６】
（他の実施の形態）
なお、上記の実施の形態においては、第１領域に含まれるねじの先端部は、尖っていることとしたが、これに限らず、ねじの先端部は、尖っていなくてもよく、例えば先端が丸められた円弧面で形成されていてもよく、第２の方向に垂直な面で切断した形状であってもよい。
【００６７】
また、上記の実施の形態においては、ジョイント部は、ねじ溝が形成された金属製のナット部を含むこととしたが、これに限らず、ジョイント部は、肉厚の第１部分に直接ねじ溝が形成されたねじ孔を設けることにしてもよい。
【００６８】
なお、上記の実施の形態において、ジョイント部は、棒状部を含むこととしたが、これに限らず、ジョイント部は、棒状部を含まなくてもよい。また、ジョイント部は、円筒状でなくともよく、第１の筒状部の端部よりも長手方向の中央側に取り付けられていてもよい。また、ジョイント部は、第１の筒状部に対して、着脱自在な構成であってもよい。
【００６９】
また、上記の実施の形態において、弾性部材をさらに備える構成としたが、これに限らず、弾性部材を備えない構成としてもよい。また、弾性部材の配置については、例えば第２の筒状部の内周側に配置されていてもよい。また、弾性部材は、ばねに限らず、ゴム状の部材であってもよい。
【００７０】
また、上記の実施の形態において、第１の筒状部および第２の筒状部は、円筒状であることとしたが、これに限らず、他の形状、例えば断面の外形形状が楕円形状であってもよいし、角筒状であってもよい。
【００７１】
今回開示された実施の形態はすべての点で例示であって、どのような面からも制限的なものではないと理解されるべきである。本発明の範囲は上記した意味ではなく、請求の範囲によって示され、請求の範囲と均等の意味および範囲内でのすべての変更が含まれることが意図される。
【産業上の利用可能性】
【００７２】
本開示の突っ張り構造体は、長手方向の長さの容易な調整が求められる場合において特に有利に適用される。
【符号の説明】
【００７３】
１１ａ，１１ｂ，１１ｃ，１１ｄ  突っ張り棒、１２，１３  壁面、１４ａ，１４ｂ，１４ｃ，１４ｄ  第１の筒状部、１５ａ，１５ｂ，１５ｃ，１５ｄ  第１の当接部、１６ａ，１６ｂ，１６ｃ，１６ｄ  第２の筒状部、１７ａ，１７ｂ，１７ｃ，１７ｄ  第２の当接部、１８ａ，１８ｂ，１８ｃ，１８ｄ  ジョイント部、２１ａ，２１ｃ，２１ｄ，２６ａ，３５ａ，５７ａ，７５ａ，７８ａ，８２ａ  外周面、２２ａ，２７ａ，５９ａ，６０ａ  内周面、２３ａ  第１端部、２４ａ  第２端部、２８ａ  第３端部、２９ａ  第４端部、３１ａ  ケース部、３２ａ  ばね、３３ａ  第１キャップ、３４ａ，３４ｂ  第１パッド、３６ａ  取り付け部、３７ａ  空間、３８ａ，３８ｂ，４８ａ，４８ｂ  面、４１ａ  第１ジャッキ部、４２ａ  第２ジャッキ部、４３ａ  第２キャップ、４４ａ，４４ｂ  第２パッド、４５ａ  第１嵌合部、４６ａ  第２嵌合部、４７ａ  第３嵌合部、４９ａ  リブ、５０ａ  段差、５１ａ  スリーブ部、５２ａ  ねじ、５３ａ，５５ａ，６８ａ，６９ａ  端部、５４ａ  第１部分、５６ａ  第２部分、５８ａ  突出部、６１ａ  貫通孔、６２ａ  ナット部、６３ａ  ねじ溝、６４ａ  ねじ孔、６５ａ  軸部、６６ａ  頭部、６７ａ  棒状部、７０ａ  回転軸、７１ａ  第１領域、７２ａ  第２領域、７３ａ  第３領域、７４ａ  先端部、７６ａ，７７ａ，７９ａ，８１ａ  線、８３ａ  ねじ山、８６  突っ張り棚、８７  網部。
【要約】
突っ張り構造体は、第１端部および第２端部を有する第１の筒状部と、第３端部および第４端部を有し、少なくとも第３端部を含む領域を第１の筒状部の内周側に収容可能な第２の筒状部と、第１の筒状部に対する第２の筒状部の第１の方向における移動を規制するジョイント部と、を備える。ジョイント部は、ねじ溝が形成され、第１の方向に垂直な第２の方向に貫通するねじ孔を有し、第１の筒状部の外周面に取り付けられるスリーブ部と、スリーブ部に取り付けられるねじと、を含む。ねじは、軸部と、頭部と、を含む。軸部は、軸部の内周側の先端部を含み、先端部に向かうにしたがい第２の方向に垂直な断面の断面積が小さくなる第１領域と、第１領域と連なって配置され、第２の方向に沿う外周面を有する第２領域と、第２領域と連なって第２領域と頭部との間に配置され、外周面にねじ溝と係合するねじ山が形成された第３領域と、を含む。【図１】
0006957073.tif 000002
【図２】
0006957073.tif 000003
【図３】
0006957073.tif 000004
【図４】
0006957073.tif 000005
【図５】
0006957073.tif 000006
【図６】
0006957073.tif 000007
【図７】
0006957073.tif 000008
【図８】
0006957073.tif 000009
【図９】
0006957073.tif 000010
【図１０】
0006957073.tif 000011
【図１１】
0006957073.tif 000012
【図１２】
0006957073.tif 000013
【図１３】
0006957073.tif 000014
【図１４】
0006957073.tif 000015
【図１５】
0006957073.tif 000016
【図１６】
0006957073.tif 000017
【図１７】
0006957073.tif 000018